(57)【要約】【課題】リモートコントローラの表示において、設定温度と実際の温度との違いを容易に目で見える構成にすること。【解決手段】浴槽内のふろ温度検出手段６と、バックライト４と、前記ふろ温度検出手段６からの信号を受け、その温度に応じてバックライトの色を制御するための制御手段５を備え、ふろの検出温度に応じてバックライトの色を変えることで、ふろの温度が設定温度と異なる時でもリモートコントローラの色を見るだけで容易に温度が認識できるので、ぬるい湯に飛び込んだり火傷をするような熱い湯に入ったりすることを防げる。  【選択図】図１
2006010233.tif 000002
【特許請求の範囲】
【請求項１】
浴槽内のふろの温度を検出するためのふろ温度検出手段と、設定温度や現時点での給湯器の状態等をお知らせする表示部と、表示部を見やすくするためのバックライトと、運転動作の指示や状態や設定変更するための操作部と、前記ふろ温度検出手段により検出されたふろ温度に応じてあらかじめ決められたバックライトの色に変化させる制御手段を備えた給湯器のリモートコントローラ装置。
【請求項２】
出湯温度を検出するための出湯温度検出手段と、前記出湯温度検出手段により検出した温度を給湯器のリモートコントローラ装置に送信する通信手段と前記出湯温度検出手段からの信号を受け、前記通信手段や給湯器の制御を行うための本体制御手段を備えた給湯器と、設定温度や現時点での給湯器の状態等をお知らせする表示部と、表示部を見やすくするためのバックライトと、運転動作の指示や状態や設定変更するための操作部と、前記給湯器からの出湯温度に応じてあらかじめ決められたバックライトの色に変化させる制御手段を備えた給湯器のリモートコントローラ装置。
【請求項３】
設定温度を変更するための操作部と、設定温度や給湯器の状態を等をお知らせするための表示部と、表示部を見やすくするためのバックライトと、前記設定温度に応じてあらかじめ決められたバックライトの色に変化させる制御手段を備えた給湯器のリモートコントローラ装置。
【請求項４】
温度に応じて任意にバックライトの色を設定することができる切替操作部を有し、前記温度に応じて設定した内容を記憶するための記憶手段と、前記記憶手段にデータを書き込んだり、記憶手段からデータを読み込んだりするための読込み・書込み手段を有し、温度に応じて任意に設定されたバックライトの色に変更する制御手段を有する構成とした請求項１〜３のいずれか１項記載の給湯器のリモートコントローラ装置。
【請求項５】
浴槽内のふろ温度を検出するためのふろ温度検出手段と、前記ふろ温度検出手段により検出した温度を給湯器のリモートコントローラ装置に送信する通信手段と前記ふろ温度検出手段からの信号を受け、前記通信手段や給湯器の制御を行うための本体制御手段を備えた給湯器と、浴槽内に設置する浴室リモートコントローラ装置において、ふろの関連動作（ふろのお湯張りや追焚、足し湯、ぬるめ、沸き上げ等）が動作中は、浴槽内のふろの温度に応じてバックライトの色を変化させ、それ以外は、バックライトを消灯することを特徴とした請求項１または４記載の給湯器のリモートコントローラ装置。
【請求項６】
ふろの関連動作（ふろのお湯張りや追焚、足し湯、ぬるめ、沸き上げ等）が動作中は、浴槽内のふろの温度に応じてバックライトの色を変化させ、それ以外は、給湯動作中は、出湯温度に応じてバックライトの色を変化させ、機器停止中は、バックライトを消灯させることを特徴とした請求項１または請求項２または請求項４または請求項５に記載の給湯器のリモートコントローラ装置。
【請求項７】
給湯器のリモートコントローラ毎に、バックライトと色を浴槽内のふろ温度またはふろの設定温度または給湯の設定温度または給湯の出湯温度いずれに応じて変化させるのかを選択することができ、かつ動作状態に応じた組み合わせも選択することができる選択手段を有した請求項１〜請求項６に記載の給湯器のリモートコントローラ装置。
【発明の詳細な説明】
【技術分野】
【０００１】
本発明は、給湯器（風呂給湯器、給湯暖房機等を含む）のリモートコントローラに関するものである。
【背景技術】
【０００２】
従来、この種の給湯器のリモートコントローラ装置は温度表示部には設定温度が表示されている（例えば、特許文献１参照）。
【０００３】
図８は、特許文献１に記載された従来の給湯器のリモートコントローラ装置を示すものである。図８に示すように、給湯温度表示部１と、湯張り温度表示部２と、運転スイッチ３と、設定温度切替スイッチ４とから構成されている。
【特許文献１】特開２００２−３０３４４９号公報
【発明の開示】
【発明が解決しようとする課題】
【０００４】
しかしながら、前記従来の構成では、リモートコントローラには設定温度の表示がでているため、浴槽に落とし込んだ時の設定温度から表示温度の設定が変更されていたり、或いは浴槽内に蛇口から高温の湯を落とし込んだりしてふろを沸かした場合、或いは水が入れられていて冷たくなっている場合など、実際の浴槽内の湯温と違うことが考えられる。しかしそれを知らずそのまま浴槽内に入ってしまい、ぬるくてびっくりしたり、或いはやけどをしてしまうような課題を有していた。また浴槽に入る時にいちいち温度を確認せず、そのまま入ってしまう場合もある。さらに浴槽内に湯気が立っているとリモートコントローラの表示が見えにくい場合がある。
【０００５】
出湯温度に関しても、最初の給湯器の使い始めは、設定温度になるまで多少時間がかかり、その間冷たい水が出てきたり、一度使用した後すぐまた使用する場合などは器具内に残っている湯が温まり、あと沸きとなって使い始め一瞬熱い湯が出てしまう場合がある。また、数字での温度表示はリモートコントローラを見る位置により、数字が見えにくい場合がありえる。
【０００６】
本発明は、前記従来の課題を解決するもので、目に見える色の変化で実際の浴槽内のふろの温度または、出湯温度に応じてリモートコントローラのバックライトの色を変更して表示させるようにした給湯器のリモートコントローラ装置を提供することを目的とする。
【課題を解決するための手段】
【０００７】
前記従来の課題を解決するために、本発明の給湯器のリモートコントローラ装置は、浴槽内のふろ温度検出手段により検出したふろ温度に応じて、リモートコントローラのバックライトの色を変化させるようにしたものである。
【０００８】
これによって、浴槽に入る時にいちいち温度を確認せず、そのまま入ってしまうような場合でもに見える色の変化で実際の浴槽内の温度を容易に見ることができるので、ぬるくてびっくりしたり、或いはやけどをしてしまうようなことを防げる。
【０００９】
また、本発明の給湯器のリモートコントローラ装置は出湯温度に応じて、リモートコントローラのバックライトの色を変化させるような構成にしたことにより、色の変化で容易に湯温が安定したかどうかを確認することができる。
【発明の効果】
【００１０】
本発明の給湯器のリモートコントローラ装置は、浴槽内の温度や出湯温度が設定温度になっていない場合、リモコンのバックライトの色を見るだけで温度がどのようになっているかを容易に目で見て確認することができる。湯気が立っている浴室でも見易く、また、数字での表示はリモートコントローラを見る位置により、見にくい場合があるが、色で表示することによりどこからでも見易くなる。さらに、色を覚えていれば数字表示が分からない幼児でも、少し目の視力が低下している老人でも容易に認識できるため、安心して使用することができる。
【発明を実施するための最良の形態】
【００１１】
第１の発明は、浴槽内のふろの温度を検出するためのふろ温度検出手段と、設定温度や現時点での給湯器の状態等をお知らせする表示部と、表示部を見やすくするためのバックライトと、運転動作の指示や状態や設定変更するための操作部と、前記ふろ温度検出手段により検出されたふろ温度に応じてあらかじめ決められたバックライトの色に変化させる制御手段を備えた給湯器のリモートコントローラ装置とすることにより、浴槽内の温度に応じてリモートコントローラのバックライトの色が変化するため、ふろの設定温度の表示と浴槽内のお湯の温度が異なっていてもバックライトの色で浴槽内の温度が人目でわかるので、浴槽内の湯が極端にぬるすぎたり、熱すぎた場合に気づかずそのまま浴槽内に入ってしまってびっくりしたり、やけどをしたりするようなことをなくすことができる。また、浴槽内に湯気が立っている状態であるとリモートコントローラの表示が見にくい場合があるが、色の変化であると容易に認識することができる。
【００１２】
第２の発明は、給湯器のリモートコントローラのバックライトの色を、出湯温度に応じて変化させることにより、蛇口やシャワーから出る湯温をリモートコントローラのバックライトの色の変化で容易に確かめられるので、給湯器の使い始めで配管内の冷たい水をそのまま浴びてしまったり、逆にあと沸きのお湯が使い始めに出てきてやけどをするなどということをなくすことができ、出湯温度が安定したかどうかを容易に目で確認してから使用することができる。
【００１３】
第３の発明は、設定温度に応じてバックライトの色を変化させることにより、給湯器のリモートコントローラのバックライトの色で設定温度を確かめることができるので、給湯器のリモートコントローラの近傍に行って温度を見なくても遠くからでも色の変化で設定温度をいくらにしているかが容易に知ることができる。
【００１４】
また、色を覚えていれば数字表示が分からない幼児でも、少し目の視力が低下している老人でも、容易に色を認識できるため、設定温度を変更でき、安心して使用することができる。
【００１５】
第４の発明は、給湯器のリモートコントローラ装置を温度に応じて任意にバックライトの色を設定することができる切換操作部を有し、前記温度に応じて設定した内容を記憶するための記憶手段と、前記記憶手段にデータを書き込んだり、記憶手段からデータを読み込んだりするための読込み・書込み手段を備えることにより、使用者の覚えやすい色や好みに合った色に設定することが可能となり、温度に応じて任意に設定されたバックライトの色に変更することができる。
【００１６】
第５の発明は、給湯器に備えた本体制御手段により、ふろ関連の動作中がどうかの判定を行い、ふろ関連のスイッチがＯＮ中或いはスイッチＯＦＦから一定の時間経過後まで、ふろ動作中とみなし、その間は浴室リモートコントローラ装置において、浴槽内のふろ温度に応じてリモートコントローラのバックライトの色を変化させ、それ以外はバックライトはを消灯しておくので、浴槽内のふろ温度表示が必要な時にはリモートコントローラに表示し、不必要な時には、消灯しているため、省電力の効果もある。
【００１７】
第６の発明は、給湯器に備えた本体制御手段により、ふろ関連の動作中がどうかの判定を行い、ふろ関連のスイッチがＯＮ中或いはスイッチＯＦＦから一定の時間経過後まで、ふろ動作中とみなし、その間はリモートコントローラ装置において、浴槽内のふろ温度に応じてコントローラのバックライトの色を変化させ、それ以外は給湯動作中は出湯温度に応じてバックライトの色を変化させ、機器停止中はバックライトは消灯させることで、浴槽内のふろ温度表示が必要な時にはリモートコントローラにふろ温度を表示し、それ以外は給湯の出湯温度に応じてバックライトの色の変化でお知らせし、不必要な時には、消灯しているため、必要に応じて表示を切換えられ、省電力の効果もある。
【００１８】
第７の発明は、給湯器のリモートコントローラ毎に、バックライトの色を浴槽内のふろ温度またはふろの設定温度または給湯の設定温度または給湯の出湯温度いずれに応じて変化させるのかを選択することができる選択手段を有しているため、リモートコントローラの設置場所や用途に応じて、好きなように選択してもらえることができる。さらに動作状態に応じた組み合わせも選択することができるため、使い勝手に応じた選択設定ができる。
【００１９】
以下、本発明の実施の形態について、図面を参照しながら説明する。なお、この実施の形態によって本発明が限定されるものではない。
【００２０】
（実施の形態１）
図１は、本発明の第１の実施の形態における給湯器のコントローラの構成図を示すものである。
【００２１】
図１において、給湯器のリモートコントローラ１−１は、浴槽内のふろの温度を検出するためのふろ温度検出手段６と、設定温度や現時点での給湯器の状態等をお知らせする表示部２と、表示部を見やすくするためのバックライト４と、運転動作の指示や状態や設定変更するための操作部３と、前記ふろ温度検出手段６により検出されたふろ温度に応じてあらかじめ決められたバックライトの色に変化させる制御手段５から構成されている。
【００２２】
以上のように構成された給湯器のコントローラ装置について、以下その動作、作用を説明する。
【００２３】
まず、ふろ温度検出手段６において、浴槽内の温度を検出し、検出温度を制御手段５が認識する。その検出したふろ温度に応じて制御手段５がバックライト４の色を変化させる指示を与える。
【００２４】
以上のように、本実施の形態においては浴槽内のふろの温度に応じて、リモートコントローラのバックライトの色を変える構成にすることにより、ふろの設定温度とふろの温度が異なっている場合、容易に目で見える形でふろの温度を認識することができる。
【００２５】
また、浴槽内の湯が極端にぬるすぎたり、熱すぎた場合に気づかずそのまま浴槽内に入ってしまってびっくりしたり、やけどをしたりするようなことをなくすことができる。さらに、浴槽内に湯気が立っている状態であるとリモートコントローラの表示が見にくい場合があるが、色の変化であると容易に認識することができる。
【００２６】
（実施の形態２）
図２は、本発明の第２の実施の形態の給湯器のリモートコントローラ装置と給湯器の構成図を示すものである。
【００２７】
なお、実施の形態１と同一符号のものは同一構造を有し、説明は省略する。
【００２８】
図２において、給湯器９は、出湯温度を検出するための出湯温度検出手段１０と、前記出湯温度検出手段１０により検出した温度を給湯器のリモートコントローラ装置１−１に送信する通信手段７と前記出湯温度検出手段１０からの信号を受け、前記通信手段７や給湯器の制御を行うための本体制御手段８を備えている。
【００２９】
以下その動作、作用を説明する。
【００３０】
まず、出湯温度検出手段１０において、蛇口やシャワーにでる出湯温度を検出し、検出温度を本体制御手段８が認識する。その検出した出湯温度を通信手段７を介して、給湯器のリモートコントローラ１−１に送る。給湯器のリモートコントローラ装置１−１は、受信したデータに応じて制御手段５がバックライト４の色を変化させる指示を与える。
【００３１】
以上のように、本実施の形態においては蛇口やシャワーへの出湯温度に応じて、リモートコントローラのバックライトの色を変える構成にすることにより、湯温が安定したかどうかをバックライトの色の変化で、容易に目で確認することができる。シャワーの使い始めで配管内の冷たい水をそのまま浴びてしまったり、逆にあと沸きのお湯が使い始めに出てきてやけどをするなどということをなくすことができる。
【００３２】
（実施の形態３）
図３は、本発明の第３の実施の形態の給湯器のリモートコントローラ装置の構成図を示すものである。本発明の第３の実施の形態において、本発明の第１の実施の形態と異なる点は、設定温度に応じてバックライトの色を変化させる点である。
【００３３】
なお、実施の形態１と同一符号のものは同一構造を有し、説明は省略する。
【００３４】
以下その動作・作用をを説明する。図３において、操作部３は給湯の設定温度やお湯張りの設定温度を変更するスイッチや給湯器の運転指示やお湯張り・追焚などの運転指示をするスイッチなどから構成されている。操作部３で設定変更された設定温度に応じて制御手段５がバックライト４の色を変化させる指示を与える。
【００３５】
以上のように、本実施の形態においてはリモートコントローラの設定温度に応じて、リモートコントローラのバックライトの色を変える構成にすることにより、リモートコントローラの近傍に行ってわざわざ設定温度を見なくても、遠くからでも容易に設定温度がいくらになっているかを確認できる。また、数字での設定温度の表示は、リモートコントローラを見る位置により、数字が見えにくい場合があるが、色の変化であれば、どこからでも容易に見ることができる。
【００３６】
さらに、色を覚えていれば数字表示が分からない幼児でも、少し目の視力が低下している老人でも、容易に色を認識できるため、安心して使用することができる。
【００３７】
（実施の形態４）
図４は、本発明の第４の実施の形態の給湯器のリモートコントローラ装置の構成図を示すものである。本発明の第４の実施の形態において、本発明の第１（または２、または３）の実施の形態と異なる点は、リモートコントローラに、温度に応じて任意にバックライトの色を選択、設定することができる切替操作部１１と、前記設定された内容を記憶するための記憶手段１２と、前記記憶手段１２にデータを書込んだり、記憶手段１２からのデータを読み出したりするための読込み・書込み手段１３を有することである。
【００３８】
なお、実施の形態１と同一符号のものは同一構造を有し、説明は省略する。
【００３９】
以下その動作・作用をを説明する。
【００４０】
ふろの検出温度に応じてリモートコントローラのバックライトの色を変化させる場合、例えば４０℃ならオレンジ、４２℃以上なら赤、３８度以下なら黄緑というように設定したい場合、切替操作部１１でそれぞれの温度に応じた色を選択し、順次設定する。設定が完了すると、切替操作部で設定した各々の温度に対してのバックライトの色が、書込み手段１３を介して、記憶手段１２に記憶される。記憶手段１２は不揮発性メモリやフラッシュメモリ等で構成されているため、電源が切れても記憶データは保持されており、再び電源供給された時には、読込み手段１３が記憶手段１２の中に保持されているデータを読込み一度設定されたデータは消去されない。従って何度も設定しなおさないといけないというような手間は無い。温度とバックライトの色の組み合わせを変更したい時は、切替操作部１１で容易に変更でき、最新の設定データが記憶手段１２に書き込まれる構成になっている。
【００４１】
以上のように、本実施の形態においては、温度に応じて、任意に且つ簡単にバックライトの色を変更することができる構成にすることにより、使用者の覚えやすい色や好みに合った色に設定することが可能となり、使い勝手が向上する。また、その日の気分に応じて、バックライトの色を設定することもでき、使用者に満足を提供することができる。  
【００４２】
（実施の形態５）
図５は、本発明の第５の実施の形態の給湯器のリモートコントローラ装置と給湯器の構成図を示すものである。本発明の第５の実施の形態において、本発明の第１（または４）の実施の形態と異なる点は、給湯器でふろ関連の動作（例えばお湯張りや追焚、足し湯、ぬるめ、沸き上げ動作など）が行われている時は、ふろの検出温度に応じて、リモートコントローラのバックライトの色を変化させるようにしたことである。
【００４３】
なお、実施の形態１または４と同一符号のものは同一構造を有し、説明は省略する。
【００４４】
以下その動作・作用をを説明する。
【００４５】
給湯器９内の本体制御手段８において、ふろ関連の動作中かどうかの判定を行う。
【００４６】
図８は、ふろ関連の動作が行われているかどうかを判定するフロー図である。コントローラに搭載されているお湯張り、追焚、沸き上げ、ぬるめ、足し湯、あつめ等、いずれかのスイッチがＯＮ中はふろ関連動作中と判定する。追焚や足し湯、ぬるめ、あつめといったスイッチは実際に浴槽に人が入っている時に押されるスイッチのため、スイッチがＯＦＦされてからでも浴槽内にはまだ人がいるので、ふろ温度に応じたリモートコントローラのバックライトの色の表示は継続させるために、スイッチＯＦＦ後、一定時間の間はふろ関連動作中の判断に含めてもよい。さらにふろ関連動作中以外は、バックライトを点灯させておくと消費電力が上がってしまう。それを防ぐために、ふろ関連動作停止中は、バックライトを消灯させることで、省電力がはかれる。
【００４７】
（実施の形態６）
図６は、本発明の第６の実施の形態の給湯器のリモートコントローラ装置と給湯器の構成図を示すものである。本発明の第６の実施の形態において、本発明の第１（または２または４または５）の実施の形態と異なる点は、給湯器でふろ関連の動作（例えばお湯張りや追焚、足し湯、ぬるめ、沸き上げ動作など）が行われている時は、ふろの検出温度に応じて、リモートコントローラのバックライトの色を変化させ、それ以外の給湯動作中は出湯温度に応じてバックライトの色を変化させることである。
【００４８】
なお、実施の形態１または２または４または５と同一符号のものは同一構造を有し、説明は省略する。
【００４９】
以下その動作・作用をを説明する。
【００５０】
本体制御手段８で、ふろ関連の動作が行われているかどうかを判定し、ふろ関連の動作中はふろ温度検出手段６で検出したふろ温度に応じて、通信手段７を介して、リモートコントローラ１−１にデータを送信する。それ以外の時で、給湯動作中は、出湯温度検出手段１０で検出した出湯温度に応じて、通信手段７を介して、リモートコントローラ１−１にデータを送信する。
【００５１】
以上のように、本実施の形態においては、ふろ動作中つまり浴槽内に人入ろうとしているような場合においては、浴槽内の温度に応じてリモートコントローラのバックライトの色が変化するため、ふろの設定温度の表示と浴槽内のお湯の温度が異なっていてもバックライトの色で浴槽内の温度が人目でわかるので、浴槽内の湯が極端にぬるすぎたり、熱すぎた場合に気づかずそのまま浴槽内に入ってしまってびっくりしたり、やけどをしたりするようなことをなくすことができる。また、浴槽内に湯気が立っている状態であるとリモートコントローラの表示が見にくい場合があるが、色の変化であると容易に認識することができる。
【００５２】
給湯動作中は、出湯温度に応じてリモートコントローラのバックライトの色が変化する構成にしているので、蛇口やシャワーから出る湯温をリモートコントローラのバックライトの色の変化で容易に確かめられ、給湯器の使い始めで配管内の冷たい水をそのまま浴びてしまったり、逆にあと沸きのお湯が使い始めに出てきてやけどをするなどということをなくすことができ、出湯温度が安定したかどうかを容易に目で確認してから使用することができる。さらに、機器停止中は、バックライトを消灯させることで、省電力がはかれる。
【００５３】
本実施例の場合、バックライトは１つとしているが、出湯温度に応じたバックライト表示とふろ温度に応じたバックライト表示を各々設ける構成にしてもよい。
【００５４】
（実施の形態７）
図７は、本発明の第７の実施の形態の給湯器のリモートコントローラ装置と給湯器の構成図を示すものである。本発明の第７の実施の形態において、本発明の第１〜６の実施の形態と異なる点は、給湯器のリモートコントローラ毎に、バックライトの色を浴槽内のふろ温度またはふろの設定温度または給湯の設定温度または給湯の出湯温度いずれに応じて変化させるのかを選択することができ、かつ動作状態に応じた組み合わせも選択することができることである。
【００５５】
なお、実施の形態１〜６と同一符号のものは同一構造を有し、説明は省略する。
【００５６】
以下その動作・作用を説明する。
【００５７】
台所に設置するリモートコントローラの場合、給湯運転スイッチがＯＮ中は、給湯の設定温度に応じてバックライトの色を変え、給湯運転動作中は、給湯の出湯温度に応じてバックライトの色を変える構成にする場合、選択手段１４で各々のモードを選択し、設定完了時、書込み手段１３を介して、記憶手段７に設定されたデータが記憶される。
【００５８】
浴槽に設置するリモートコントローラの場合、ふろ関連動作中は、ふろ温度に応じてバックライトを変化させ、それ以外は出湯温度またはふろの設定温度に応じてバックライトの色の変化を行うような設定にできる。
【００５９】
以上のように各々のリモートコントローラで別々の設定ができる構成にすることで、リモートコントローラの設置場所により、その用途に応じた設定が可能になり、使い勝手に応じた選択設定ができる。
【産業上の利用可能性】
【００６０】
以上のように、本発明にかかる給湯器（風呂給湯器、給湯暖房機等を含む）のリモートコントローラ装置は、リモートコントローラのバックライトの色を見るだけで温度が容易に認識できるため燃焼器具全般のリモートコントローラにも適用できる。
【図面の簡単な説明】
【００６１】
【図１】本発明の実施の形態１における給湯器のリモートコントローラ装置の構成図
【図２】本発明の実施の形態２における給湯器のリモートコントローラ装置と給湯器の構成図
【図３】本発明の実施の形態３における給湯器のリモートコントローラ装置の構成図
【図４】本発明の実施の形態４における給湯器のリモートコントローラ装置の構成図
【図５】本発明の実施の形態５における給湯器のリモートコントローラ装置と給湯器の構成図
【図６】本発明の実施の形態６における給湯器のリモートコントローラ装置と給湯器の構成図
【図７】本発明の実施の形態７における給湯器のリモートコントローラ装置と給湯器の構成図
【図８】本発明の実施の形態５における給湯器の動作を示すフローチャート
【図９】従来の給湯器のリモートコントローラ装置の構成図
【符号の説明】
【００６２】
２  表示部
３  操作部
４  バックライト
５  制御手段
６  ふろ温度検出手段
１０  出湯温度検出手段
【図１】
2006010233.tif 000003
【図２】
2006010233.tif 000004
【図３】
2006010233.tif 000005
【図４】
2006010233.tif 000006
【図５】
2006010233.tif 000007
【図６】
2006010233.tif 000008
【図７】
2006010233.tif 000009
【図８】
2006010233.tif 000010
【図９】
2006010233.tif 000011